【手続補正書】
【提出日】平成16年5月6日(2004.5.6)
【手続補正１】
【補正対象書類名】明細書
【補正対象項目名】特許請求の範囲
【補正方法】変更
【補正の内容】
【特許請求の範囲】
【請求項１】
電子写真画像形成装置本体に着脱可能なプロセスカートリッジにおいて、
電子写真感光体ドラムと、
前記電子写真感光体ドラムを支持する導電性軸部材であって、前記電子写真感光体ドラムと導通をとられた導電性軸部材と、
前記導電性軸部材と接触しており前記導電性軸部材と摺動可能
な摺動接点と、電気的に接地されている、前記電子写真画像形成装置本体に設けられた付勢部材に接触して加圧される固定接点と、を有し、カートリッジ枠体に取り付けられたアース接点部材と、
前記付勢部材によって前記固定接点が加圧されることによって、前記電子写真画像形成装置本体に設けられた位置決め部に対して加圧されて、前記電子写真画像形成装置本体に対する前記電子写真感光体ドラムの軸心の位置を決めるカートリッジ側位置決め部材と、
を有して、前記固定接点が前記付勢部材に付勢されることによって、前記電子写真感光体ドラムが電気的に接地されること、及び、前記電子写真感光体ドラムの軸心の位置が前記電子写真画像形成装置本体に対して位置決めされることを特徴とするプロセスカートリッジ。
【請求項２】
前記アース接点部材は、前記固定接点としての、カートリッジ枠体に固定された導電性樹脂部材と、前記摺動接点としての、前記導電性軸部材に対して進退可能に前記カートリッジ枠体に取り付けられた導電性樹脂部材と、前記両導電性樹脂部材間に設けられた導電性ばねと、を有することを特徴とする請求項１に記載のプロセスカートリッジ。
【請求項３】
プロセスカートリッジを着脱可能であって、記録媒体に画像を形成する電子写真画像形成装置において、
（ａ）付勢部材と、
（ｂ）位置決め部と、
（ｃ）電子写真感光体ドラムと、
前記電子写真感光体ドラムを支持する導電性軸部材であって、
前記電子写真感光体ドラムと導通をとられた導電性軸部材と、
前記導電性軸部材と接触しており前記導電性軸部材と摺動可能
な摺動接点と、電気的に接地されている、前記付勢部材に接触して加圧される固定接点と、を有し、カートリッジ枠体に取り付けられたアース接点部材と、
前記付勢部材によって前記固定接点が加圧されることによって、前記位置決め部に対して加圧されて、前記電子写真画像形成装置本体に対する前記電子写真感光体ドラムの軸心の位置を決めるカートリッジ側位置決め部材と、
を有して、前記固定接点が前記付勢部材に付勢されることによって、前記電子写真感光体ドラムが電気的に接地されること、及び、前記電子写真感光体ドラムの軸心の位置が前記電子写真画像形成装置本体に対して位置決めされる、装着手段に取り外し可能に装着されたプロセスカートリッジと、
（ｄ）前記記録媒体を搬送する搬送手段と、
を有することを特徴とする電子写真画像形成装置。
【手続補正２】
【補正対象書類名】明細書
【補正対象項目名】００１６
【補正方法】変更
【補正の内容】
【００１６】
本発明の目的は、付勢部材によって付勢することによって、電子写真感光体ドラムを電気的に接地すること、及び前記電子写真感光体ドラムの軸心の位置を電子写真画像形成装置本体に対して位置決めできるプロセスカートリッジ、及び、電子写真画像形成装置を提供することである。
【手続補正３】
【補正対象書類名】明細書
【補正対象項目名】００１７
【補正方法】変更
【補正の内容】
【００１７】
【課題を解決するための手段】
上記目的を達成するため、本出願に係る第１の発明は、電子写真画像形成装置本体に着脱可能なプロセスカートリッジにおいて、電子写真感光体ドラムと、前記電子写真感光体ドラムを支持する導電性軸部材であって、前記電子写真感光体ドラムと導通をとられた導電性軸部材と、前記導電性軸部材と接触しており前記導電性軸部材と摺動可能な摺動接点と、電気的に接地されている、前記電子写真画像形成装置本体に設けられた付勢部材に接触して加圧される固定接点と、を有し、カートリッジ枠体に取り付けられたアース接点部材と、前記付勢部材によって前記固定接点が加圧されることによって、前記電子写真画像形成装置本体に設けられた位置決め部に対して加圧されて、前記電子写真画像形成装置本体に対する前記電子写真感光体ドラムの軸心の位置を決めるカートリッジ側位置決め部材と、を有して、前記固定接点が前記付勢部材に付勢されることによって、前記電子写真感光体ドラムが電気的に接地されること、及び、前記電子写真感光体ドラムの軸心の位置が前記電子写真画像形成装置本体に対して位置決めされることを特徴とするプロセスカートリッジである。
【手続補正４】
【補正対象書類名】明細書
【補正対象項目名】００１８
【補正方法】削除
【補正の内容】
【手続補正５】
【補正対象書類名】明細書
【補正対象項目名】００１９
【補正方法】削除
【補正の内容】
【手続補正６】
【補正対象書類名】明細書
【補正対象項目名】００２０
【補正方法】変更
【補正の内容】
【００２０】
本出願に係る第２の発明は、前記アース接点部材は、前記固定接点としての、カートリッジ枠体に固定された導電性樹脂部材と、前記摺動接点としての、前記導電性軸部材に対して進退可能に前記カートリッジ枠体に取り付けられた導電性樹脂部材と、前記両導電性樹脂部材間に設けられた導電性ばねと、を有することを特徴とする第１の発明に記載のプロセスカートリッジである。
【手続補正７】
【補正対象書類名】明細書
【補正対象項目名】００２１
【補正方法】変更
【補正の内容】
【００２１】
本出願に係る第３の発明は、プロセスカートリッジを着脱可能であって、記録媒体に画像を形成する電子写真画像形成装置において、
（ａ）付勢部材と、
（ｂ）位置決め部と、
（ｃ）電子写真感光体ドラムと、前記電子写真感光体ドラムを支持する導電性軸部材であって、前記電子写真感光体ドラムと導通をとられた導電性軸部材と、前記導電性軸部材と接触しており前記導電性軸部材と摺動可能な摺動接点と、電気的に接地されている、前記付勢部材に接触して加圧される固定接点と、を有し、カートリッジ枠体に取り付けられたアース接点部材と、前記付勢部材によって前記固定接点が加圧されることによって、前記位置決め部に対して加圧されて、前記電子写真画像形成装置本体に対する前記電子写真感光体ドラムの軸心の位置を決めるカートリッジ側位置決め部材と、を有して、前記固定接点が前記付勢部材に付勢されることによって、前記電子写真感光体ドラムが電気的に接地されること、及び、前記電子写真感光体ドラムの軸心の位置が前記電子写真画像形成装置本体に対して位置決めされる、装着手段に取り外し可能に装着されたプロセスカートリッジと、
（ｄ）前記記録媒体を搬送する搬送手段と、
を有することを特徴とする電子写真画像形成装置である。
【手続補正８】
【補正対象書類名】明細書
【補正対象項目名】００６９
【補正方法】変更
【補正の内容】
【００６９】
以上説明したように、
板金製の側板に感光ドラムを支持する軸受部材を突き当てて位置決めする際に、側板に取り付けられた付勢部材を用いて、プロセスカートリッジのクリーニング枠体を押圧付勢している構成において、クリーニング枠体の付勢部材当接部に感光ドラムと導通を取るための接点を設けている。これによって、画像形成装置本体に接点部材を追加することなく、感光ドラム→付勢部材→側板の経路で感光ドラムの電気的接地を行うことができる。
【手続補正９】
【補正対象書類名】明細書
【補正対象項目名】００７０
【補正方法】変更
【補正の内容】
【００７０】
また、感光ドラムを支持する導電性軸が感光ドラムと一体的に回動する貫通軸である場合に、導電性軸と付勢部材の間の導通を取る接点部材をクリーニング枠体側に設けることにより、摺動接点を導電性貫通軸〜接点部材間にしている。これによって、画像形成装置本体と比較して寿命の短いプロセスカートリッジ内に摺動接点を設け、画像形成装置本体〜プロセスカートリッジ間は固定接点として、画像形成装置本体のドラムアース経路の安定化を図ることが可能になる。
【発明の効果】
本発明によれば、付勢部材によって付勢することによって、電子写真感光体ドラムを電気的に接地すること、及び、前記電子写真感光体ドラムの軸心の位置を電子写真画像形成装置本体に対して位置決めできる。